(57)【要約】  洗濯機のダンパー及び洗濯機であって、洗濯機のダンパーは、制震懸架ロッド（３００）、上受け（４００）、制震バネ（７００）、摺動減衰支持ベース（６００）及び摺動減衰部材（５００）を含み、前記制震懸架ロッド（３００）の上端端部は洗濯機の筐体に取り付けられ、上受け（４００）は洗濯機の外槽に取り付けられ、前記制震懸架ロッド（３００）は、上から順に、上受け（４００）、摺動減衰部材（５００）、摺動減衰支持ベース（６００）及び制震バネ（７００）に挿通され、洗濯機の外槽のぐらつき又は揺動によって上受け（４００）に対し偏心圧力が付与されると、制震バネ（７００）が圧縮されるとともに、摺動減衰部材（５００）が収縮することで制震懸架ロッド（３００）に作用する摺動減衰が発生し、偏心力が増大するにしたがって、摺動減衰支持ベース（６００）と摺動減衰部材（５００）が共に収縮して制震懸架ロッド（３００）に作用する摺動減衰が増大し、洗濯機の外槽のぐらつき又は揺動によって上受け（４００）が解除されると、制震バネ（７００）が伸長し、摺動減衰支持ベース（６００）と摺動減衰部材（５００）が徐々に緩むことで、制震懸架ロッド（３００）に作用する摺動減衰が徐々に減少する。本発明によれば、洗濯機は安静且つ安定的な脱水起動及び運転を維持可能となる。【選択図】図１
2019537474.tif 000002
【特許請求の範囲】
【請求項１】
制震懸架ロッド、上受け、制震バネ、摺動減衰支持ベース及び摺動減衰部材を含み、前記制震懸架ロッドの上端端部は洗濯機の筐体に取り付けられ、前記上受けは洗濯機の外槽に取り付けられ、前記制震懸架ロッドは、上から順に、前記上受け、前記摺動減衰部材、前記摺動減衰支持ベース及び前記制震バネに挿通され、
洗濯機の外槽のぐらつき又は揺動によって前記上受けに対し偏心圧力が付与されると、前記制震バネが圧縮されるとともに、前記摺動減衰部材が収縮することで前記制震懸架ロッドに作用する摺動減衰が発生し、偏心力が増大するにしたがって、前記摺動減衰支持ベースと前記摺動減衰部材が共に収縮して前記制震懸架ロッドに作用する摺動減衰が増大し、
洗濯機の外槽のぐらつき又は揺動によって前記上受けが解除されると、前記制震バネが伸長し、前記摺動減衰支持ベースと前記摺動減衰部材が徐々に緩むことで、前記制震懸架ロッドに作用する摺動減衰が徐々に減少することを特徴とする洗濯機のダンパー。
【請求項２】
前記摺動減衰支持ベースは前記摺動減衰部材寄りの一端に収容室を備え、前記摺動減衰部材は、一端が前記上受けに当接するよう設けられるとともに、他端が前記摺動減衰支持ベースの収容室に伸入することを特徴とする請求項１に記載の洗濯機のダンパー。
【請求項３】
前記摺動減衰部材は、環状の減衰プレートと、前記環状の減衰プレートの一方の側に設けられて内環沿いに分布する複数の減衰材を含み、前記減衰材の間には、中心に位置して前記制震懸架ロッドを挿通するための貫通孔が形成されることを特徴とする請求項２に記載の洗濯機のダンパー。
【請求項４】
前記摺動減衰部材における前記環状の減衰プレートの上壁表面は前記上受けに密着するよう設けられ、前記摺動減衰部材における前記環状の減衰プレートの下壁表面は前記摺動減衰支持ベースの上端面に密着するよう設けられ、前記摺動減衰部材の減衰材は、前記摺動減衰支持ベースの収容室に伸入することを特徴とする請求項３に記載の洗濯機のダンパー。
【請求項５】
前記摺動減衰部材における前記環状の減衰プレートの上壁表面には環状の突出リブが設けられており、前記上受けの下壁には前記環状の突出リブに係合する環状の凹溝が設けられていることを特徴とする請求項３に記載の洗濯機のダンパー。
【請求項６】
前記摺動減衰支持ベースは、外槽にぐらつき又は揺動が生じた場合に偏心力を伝達することで、前記制震懸架ロッドに作用する摺動減衰を発生させる傾斜構造を備え、前記傾斜構造の内側に収容室が形成されることを特徴とする請求項１〜５のいずれかに記載の洗濯機のダンパー。
【請求項７】
前記摺動減衰支持ベースは、一端に設けられるリング本体と、リング本体にそれぞれ接続される複数の弾性体を含み、前記リング本体は前記摺動減衰部材に当接するよう設けられ、前記弾性体は前記制震バネの内部に伸入し、複数の前記弾性体の間には、中心に位置して前記制震懸架ロッドを挿通するための貫通孔が形成されており、
前記弾性体のうちリング本体に接続される一端は傾斜するよう設けられて傾斜構造を形成するか、或いは、前記傾斜構造は、前記弾性体と前記リング本体を接続するための傾斜リブであることを特徴とする請求項１に記載の洗濯機のダンパー。
【請求項８】
前記摺動減衰支持ベースの外壁には環状の当止リブが設けられ、前記制震バネの上端が前記環状の当止リブに当止されることを特徴とする請求項１〜７のいずれかに記載の洗濯機のダンパー。
【請求項９】
前記摺動減衰支持ベースはプラスチック材料により一体成型され、前記摺動減衰部材はゴム製の減衰材であることを特徴とする請求項１〜８のいずれかに記載の洗濯機のダンパー。
【請求項１０】
請求項１〜９のいずれかに記載の洗濯機のダンパーを備える洗濯機。
【発明の詳細な説明】
【技術分野】
【０００１】
本発明は洗濯機の制震技術分野に関し、具体的には、洗濯機のダンパー及び洗濯機に関する。
【背景技術】
【０００２】
全自動洗濯機における脱水起動及び脱水運転時には、モータの起動に伴って外槽にぐらつきや揺動が生じ、大きな震動及び騒音が形成される。そこで、洗濯機の脱水時における震動及び騒音を低減するために、従来の全自動洗濯機は一般的にダンパーを装備している。ダンパーの一端は洗濯機の筐体に懸装され、他端は洗濯機の外槽の懸架台に懸架される。また、ダンパー内には制震バネが設けられている。外槽にぐらつき又は揺動が生じた場合、ダンパーは制震の目的を達するために、制震バネの緩衝作用によって外槽の偏心を緩和する。しかし、洗濯機の発展・進歩に伴って、洗濯機の偏心が大きい場合には、制震バネの制震作用だけでは外槽のぐらつき及び揺動を効果的に阻止できなくなっている。
【０００３】
従来の洗濯機のダンパーには制震バネのみが設けられるものがあり、これらは小容量の洗濯機に用いられることが多い。また、制震バネをベースに摺動減衰構造を追加しているものもあるが、提供される摺動減衰力が小さすぎるため、制震及び騒音低減効果を有効に発揮できていない。更に、摺動減衰支持ベースと上受けの間に摩擦ゴム部材を追加しているものもあるが、当該構造は高コストであり、信頼性にも劣る。また、磨損期間が長くなるにつれて、ゆっくりと摩擦減衰力が失われてゆく。
【０００４】
これらに鑑みて、本発明を提案する。
【発明の概要】
【発明が解決しようとする課題】
【０００５】
上記の課題を解決するために、本発明の第１の目的は、洗濯機のダンパーを提供することである。具体的には、以下の技術方案を用いる。
【課題を解決するための手段】
【０００６】
洗濯機のダンパーであって、制震懸架ロッド、上受け、制震バネ、摺動減衰支持ベース及び摺動減衰部材を含み、前記制震懸架ロッドの上端端部は洗濯機の筐体に取り付けられ、上受けは洗濯機の外槽に取り付けられ、前記制震懸架ロッドは、上から順に、上受け、摺動減衰部材、摺動減衰支持ベース及び制震バネに挿通され、洗濯機の外槽のぐらつき又は揺動によって上受けに対し偏心圧力が付与されると、制震バネが圧縮されるとともに、摺動減衰部材が収縮することで制震懸架ロッドに作用する摺動減衰が発生し、偏心力が増大するにしたがって、摺動減衰支持ベースと摺動減衰部材が共に収縮して制震懸架ロッドに作用する摺動減衰が増大し、洗濯機の外槽のぐらつき又は揺動によって上受けが解除されると、制震バネが伸長し、摺動減衰支持ベースと摺動減衰部材が徐々に緩むことで、制震懸架ロッドに作用する摺動減衰が徐々に減少する。
【０００７】
本発明の好ましい実施形態として、前記摺動減衰支持ベースは摺動減衰部材寄りの一端に収容室を備え、前記摺動減衰部材は、一端が上受けに当接するよう設けられるとともに、他端が摺動減衰支持ベースの収容室に伸入する。
【０００８】
本発明の好ましい実施形態として、前記摺動減衰部材は、環状の減衰プレートと、環状の減衰プレートの一方の側に設けられて内環沿いに分布する複数の減衰材を含み、前記減衰材の間には、中心に位置して制震懸架ロッドを挿通するための貫通孔が形成される。
【０００９】
本発明の好ましい実施形態として、前記摺動減衰部材における環状の減衰プレートの上壁表面は上受けに密着するよう設けられ、摺動減衰部材における環状の減衰プレートの下壁表面は摺動減衰支持ベースの上端面に密着するよう設けられ、摺動減衰部材の減衰材は、摺動減衰支持ベースの収容室に伸入する。
【００１０】
本発明の好ましい実施形態として、前記摺動減衰部材における環状の減衰プレートの上壁表面には環状の突出リブが設けられており、前記上受けの下壁には環状の突出リブに係合する環状の凹溝が設けられている。
【００１１】
本発明の好ましい実施形態として、前記摺動減衰支持ベースは、外槽にぐらつき又は揺動が生じた場合に偏心力を伝達することで、制震懸架ロッドに作用する摺動減衰を発生させる傾斜構造を備え、前記傾斜構造の内側に収容室が形成される。
【００１２】
本発明の好ましい実施形態として、前記摺動減衰支持ベースは、一端に設けられるリング本体と、リング本体にそれぞれ接続される複数の弾性体を含み、前記リング本体は摺動減衰部材に当接するよう設けられ、前記弾性体は制震バネの内部に伸入し、複数の前記弾性体の間には、中心に位置して制震懸架ロッドを挿通するための貫通孔が形成されており、前記弾性体のうちリング本体に接続される一端は傾斜するよう設けられて傾斜構造を形成するか、或いは、前記傾斜構造は、弾性体とリング本体を接続するための傾斜リブである。
【００１３】
本発明の好ましい実施形態として、前記摺動減衰支持ベースの外壁には環状の当止リブが設けられ、前記制震バネの上端が環状の当止リブに当止される。
【００１４】
本発明の好ましい実施形態として、前記摺動減衰支持ベースはプラスチック材料により一体成型され、前記摺動減衰部材はゴム製の減衰材である。
【００１５】
本発明の第２の目的は、洗濯機を提供することである。具体的には、上記いずれかの洗濯機のダンパーを備える洗濯機との技術方案を採用する。
【００１６】
本発明における洗濯機のダンパーは、摺動減衰支持ベースと摺動減衰部材を含む。摺動減衰支持ベースには一般的なプラスチック材質を使用すればよく、これにより製造コストが抑えられる。また、摺動減衰部材には、大きな圧力を受けた場合に摺動減衰力を徐々に増大可能となるよう、ゴム材料を使用する。外槽のぐらつき又は揺動に伴い、上受け、摺動減衰部材及び摺動減衰支持ベースが制震懸架ロッド沿いに上下に摺動することで、制震バネが圧縮又は解放される。
【００１７】
外槽のぐらつき又は揺動によって上受けに対し偏心力が下向きに付与されると、制震バネが圧縮されるとともに、摺動減衰部材が摺動減衰支持ベースに押圧されて収縮する。偏心力がより大きくなると、摺動減衰支持ベースも圧力の増大に伴って収縮し、懸架ロッドとの間に摩擦を生じて摺動摩擦減衰力を発生させる。外槽のぐらつき又は揺動によって上受けに対する圧力が解除されると、制震バネが伸長し、摺動減衰部材と摺動減衰支持ベースが緩むことで、制震懸架ロッドとの摩擦が徐々に減少する。そして、発生した摺動摩擦減衰力が減少するか、完全に解除されると、洗濯機のダンパーの各部材が元の位置に復帰する。
【００１８】
本発明における洗濯機のダンパーは、摺動減衰支持ベースと摺動減衰部材を含む。洗濯機の脱水起動及び運転時に、摺動減衰支持ベースと摺動減衰部材がそれぞれ制震懸架ロッドとの摩擦により外槽に対し摺動減衰力を提供する。これにより、外槽のぐらつき及び揺動が効果的に減少する。特に、大容量の洗濯機に対し良好な制震効果を発揮するため、洗濯機は安静且つ安定的な脱水起動及び運転を維持する。
【００１９】
本発明における前記洗濯機のダンパーを備える洗濯機は、安静且つ安定的な脱水起動及び運転を維持可能である。
【図面の簡単な説明】
【００２０】
【図１】図１は、本発明における洗濯機のダンパーの分解図である。
【図２】図２は、本発明における洗濯機のダンパーの正面図である。
【図３】図３は、本発明における洗濯機のダンパーの断面図である。
【図４】図４は、本発明における洗濯機のダンパーの摺動減衰支持ベースの立体構造を示す第１の図である。
【図５】図５は、本発明における洗濯機のダンパーの摺動減衰支持ベースの立体構造を示す第２の図である。
【図６】図６は、本発明における洗濯機のダンパーの摺動減衰支持ベースの断面図である。
【図７】図７は、本発明における洗濯機のダンパーの摺動減衰部材の上部立体構造を示す図である。
【図８】図８は、本発明における洗濯機のダンパーの摺動減衰部材の背部立体構造を示す図である。
【発明を実施するための形態】
【００２１】
以下に、図面を組み合わせて、本発明における洗濯機のダンパー及び洗濯機につき詳細に記載する。
【００２２】
図１、図２及び図３に示すように、本実施例における洗濯機のダンパーは、制震懸架ロッド３００、上受け４００、制震バネ７００、摺動減衰支持ベース６００及び摺動減衰部材５００を含む。前記制震懸架ロッド３００の上端端部は洗濯機の筐体に取り付けられ、上受け４００は洗濯機の外槽に取り付けられる。前記制震懸架ロッド３００は、上から順に、上受け４００、摺動減衰部材５００、摺動減衰支持ベース６００及び制震バネ７００に挿通される。
【００２３】
洗濯機の外槽のぐらつき又は揺動によって上受けに対し偏心圧力が付与されると、制震バネ７００が圧縮されるとともに、摺動減衰部材５００が収縮することで制震懸架ロッド３００に作用する摺動減衰が発生する。また、偏心力が増大するにしたがって、摺動減衰支持ベース６００と摺動減衰部材５００が共に収縮し、制震懸架ロッド３００に作用する摺動減衰が増大する。
【００２４】
一方、洗濯機の外槽のぐらつき又は揺動によって上受けが解除されると、制震バネ７００が伸長し、摺動減衰支持ベース６００と摺動減衰部材５００が徐々に緩むことで、制震懸架ロッド３００に作用する摺動減衰が徐々に減少する。
【００２５】
本実施例における洗濯機のダンパーは、摺動減衰支持ベース６００と摺動減衰部材５００を含む。摺動減衰支持ベース６００には一般的なプラスチック材質を使用すればよく、これにより製造コストが抑えられる。また、摺動減衰部材５００には、大きな圧力を受けた場合に摺動減衰力を徐々に増大可能となるよう、ゴム材料を使用する。外槽のぐらつき又は揺動に伴い、上受け４００、摺動減衰支持ベース６００及び摺動減衰部材５００が制震懸架ロッド３００沿いに上下に摺動することで、制震バネ７００が圧縮又は解放される。
【００２６】
本実施例における洗濯機のダンパーは、洗濯機の脱水起動及び運転時に、摺動減衰支持ベース６００と摺動減衰部材５００がそれぞれ制震懸架ロッド３００との摩擦により外槽に対し摺動減衰力を提供する。これにより、外槽のぐらつき及び揺動が効果的に減少する。特に、大容量の洗濯機に対し良好な制震効果を発揮するため、洗濯機は安静且つ安定的な脱水起動及び運転を維持する。
【００２７】
本実施例における洗濯機のダンパーでは、摺動減衰支持ベース６００と摺動減衰部材５００が共に制震懸架ロッド３００に取り付けられている。これらがいずれも良好な摺動減衰を発揮できるよう、摺動減衰支持ベース６００と摺動減衰部材５００は次のように取り付けられる。即ち、本実施例の前記摺動減衰支持ベース６００は、摺動減衰部材５００寄りの一端に収容室を備える。前記摺動減衰部材５００は、一端が上受け４００に当接するよう設けられるとともに、他端が摺動減衰支持ベース６００の収容室に伸入する。
【００２８】
本実施例の摺動減衰部材５００は、上受け４００に直に当接する。そのため、外槽にぐらつき又は揺動が発生すると、偏心力が上受け４００に直に作用し、上受け４００が摺動減衰部材５００に直に作用する。そして、摺動減衰部材５００と制震懸架ロッド３００との押圧による摩擦で摺動減衰が発生する。これにより、通常のぐらつき又は揺動の場合であれば、外槽は摺動減衰部材５００により発生した摺動減衰によって制震要求を満たすことができる。また、外槽のぐらつき又は揺動が大きい場合には偏心力がより大きくなり、摺動減衰部材５００の他端が摺動減衰支持ベース６００の収容室に伸入する。そのため、偏心力は更に摺動減衰支持ベース６００に伝達可能となり、摺動減衰支持ベース６００と制震懸架ロッド３００との間にも押圧による摩擦で摺動減衰が発生する。これにより、制震効果が更に強化される。
【００２９】
本実施例の好ましい実施形態として、前記摺動減衰部材５００は、環状の減衰プレート５０１と、環状の減衰プレート５０１の一方の側に設けられて内環沿いに分布する複数の減衰材５０２を含む。前記減衰材５０２の間には、中心に位置して制震懸架ロッドを挿通するための貫通孔が形成されている。
【００３０】
本実施例における複数の減衰材５０２の間には減衰材間隔５０３が備わっている。そのため、外槽にぐらつき又は揺動が生じると減衰材５０２が緩み、減衰材５０２と制震懸架ロッド３００の間の摺動減衰が小さくなる。また、外槽にぐらつき又は揺動が生じると減衰材５０２が収縮し、減衰材５０２と制震懸架ロッド３００の間の摺動減衰が増大する。
【００３１】
更に、本実施例の前記摺動減衰部材５００における環状の減衰プレート５０１の上壁表面は、上受け４００に密着するよう設けられ、摺動減衰部材５００における環状の減衰プレート５０１の下壁表面は、摺動減衰支持ベース６００の上端面に密着するよう設けられる。また、摺動減衰部材５００の減衰材５０２は、摺動減衰支持ベース６００の収容室に伸入する。このように設けることで、上受け４００から摺動減衰部材５００、及び摺動減衰部材５００から摺動減衰支持ベース６００へと偏心力の伝達が実現される。
【００３２】
本実施例の好ましい実施形態として、前記摺動減衰部材５００における環状の減衰プレート５０１の上壁表面には環状の突出リブが設けられており、前記上受け４００の下壁には環状の突出リブに係合する環状の凹溝が設けられている。これにより、摺動減衰部材５００と上受け４００との係合を強化可能である一方、前記環状の突出リブを中心に向かって傾斜させさせることで、偏心力がより良好に減衰材５０２に伝達される。
【００３３】
本実施例の好ましい実施形態として、前記摺動減衰支持ベース６００は、外槽にぐらつき又は揺動が生じた場合に偏心力を伝達することで、制震懸架ロッド３００に作用する摺動減衰を発生させる傾斜構造６０２を備える。また、前記傾斜構造６０２の内側に収容室が形成されている。
【００３４】
本実施例の摺動減衰支持ベース６００は、外槽から付与された力を効果的に伝達可能とする傾斜構造６０２を備える。外槽のぐらつき又は揺動に伴い、上受け４００、摺動減衰部材５００、摺動減衰支持ベース６００が制震懸架ロッド３００沿いに上下に摺動することで、制震バネ７００が圧縮又は解放される。好ましくは、傾斜構造６０２が外槽のぐらつき又は揺動により生じる偏心力を効果的に摺動減衰支持ベース６００の変形可能部位に伝達し、制震懸架ロッドに摺動減衰を提供することで良好な制震効果を実現可能となるよう、本実施例の傾斜構造６０２は、制震懸架ロッド３００沿いに上から下へと制震懸架ロッド３００に近付く方向に傾斜している。これにより、圧力を受けた際の偏心量が水平方向に分力を発生し、摺動減衰支持ベース６００の変形可能部位に作用して収縮させることで、摺動減衰力が発生する。
【００３５】
外槽のぐらつき又は揺動によって、上受け４００に対し偏心力が下向きに付与されると、制震バネ７００が圧縮されるとともに、摺動減衰支持ベース６００が収縮して制震懸架ロッド３００と摩擦を生じることで、減衰力が発生する。一方、外槽のぐらつき又は揺動によって上受けに対する圧力が解除されると、制震バネ７００が伸長し、摺動減衰支持ベース６００が緩むことで、制震懸架ロッド３００との摩擦が徐々に減少する。そして、発生した摺動摩擦減衰力が減少するか、完全に解除されると、ダンパーの各部材が元の位置に復帰する。
【００３６】
このように、本実施例における洗濯機のダンパーは、摺動減衰支持ベース６００を備える。洗濯機の脱水起動及び運転時には、摺動減衰支持ベース６００と制震懸架ロッド３００との摩擦によって外槽に摺動減衰力が提供されるため、外槽のぐらつき及び揺動が効果的に減少し、良好な制震効果が発揮される。これにより、洗濯機は安静且つ安定的な脱水起動及び運転を維持する。
【００３７】
そのため、本実施例における洗濯機のダンパーは、単体として設計された摺動減衰支持ベース６００を備えることで、制震懸架ロッド３００に対し良好な摺動摩擦減衰を発揮し、洗濯機の制震効果を高めることが可能となる。本実施例の摺動減衰支持ベース６００は、単独で使用して一般的な洗濯機の制震要求を満たしてもよいし、より良好な制震効果を取得して更に大型の洗濯機に適応すべく、摺動減衰材と組み合わせて摺動減衰効果をいっそう強化してもよい。また、本実施例の摺動減衰支持ベース６００の材料としては、一般的なプラスチック材質を使用すればよい。これにより、製造コストが抑えられ、使用寿命も延びる。
【００３８】
本実施例の摺動減衰支持ベース６００が、外槽のぐらつき又は揺動に伴って制震懸架ロッド３００に対する摺動減衰の大きさを変更可能となるよう、具体的に、本実施例における前記摺動減衰支持ベース６００は、一端に設けられるリング本体６０１と、リング本体６０１にそれぞれ接続される複数の弾性体６０６を含む。前記リング本体６０１は摺動減衰部材５００に当接するよう設けられ、前記弾性体６０６は制震バネ７００の内部に伸入する。複数の前記弾性体６０６の間には、中心に位置して制震懸架ロッド３００を挿通するための貫通孔が形成されている。
【００３９】
洗濯機の外槽のぐらつき又は揺動によって上受け４００に対し偏心圧力が付与されると、制震バネ７００が圧縮されるとともに、摺動減衰支持ベース６００の傾斜構造６０２が偏心力を各前記弾性体６０６に伝達する。すると、弾性体６０６が収縮することで、制震懸架ロッド３００に対する摺動減衰が増大する。
【００４０】
一方、洗濯機の外槽のぐらつき又は揺動によって上受けが解放されると、制震バネ７００が伸長し、各前記弾性体６０６が緩むことで、制震懸架ロッド３００に対する摺動減衰が減少するか、完全に解除される。
【００４１】
本実施例の弾性体６０６の間には弾性隙間６０５が備わっているため、外槽にぐらつき又は揺動が生じていない場合には、弾性体の内壁と制震懸架ロッド３００とが接触してはいるものの、押圧による摩擦は発生しないか、押圧による摩擦力が大きくはならない。一方で、外槽にぐらつき又は揺動が発生すると、傾斜構造６０２から伝達された偏心力の働きによって弾性体６０６が収縮する。そして、弾性体６０６の内壁と制震懸架ロッド３００が密着し、押圧による摩擦で大きな摺動摩擦減衰が発生することで、外槽のぐらつき又は揺動が緩和されて、制震効果が実現される。
【００４２】
好ましくは、本実施例では弾性体６０６を４つ含み、４つの弾性体６０６が円をなしている。また、弾性体６０６の間には弾性隙間６０５が備わっている。
【００４３】
具体的に、本実施例の前記弾性体６０６は、リング本体６０１の周方向に均一な間隔を置いて分布している。前記弾性体６０６のうちリング本体６０１に接続される一端は傾斜するよう設けられ、傾斜構造６０２を形成している。或いは、前記傾斜構造６０２は、弾性体６０６とリング本体６０１を接続するための傾斜リブである。
【００４４】
本実施例の傾斜構造６０２は、リング本体６０１の中心に向かって傾斜するよう設けられる。これにより、摺動減衰支持ベース６００全体がリング本体６０１から弾性体６０６に向かって縮小するよう設けられる。本実施例の摺動減衰支持ベース６００は一体成型としてもよいし、一部を接続して形成してもよい。
【００４５】
本実施例の好ましい実施形態として、前記弾性体６０６は傾斜部と垂直部を含む。前記傾斜部の一端はリング本体に接続され、他端はリング本体の内側に向かって傾斜するよう設けられる。また、前記垂直部は傾斜部に接続されるとともに、垂直方向に設けられる。前記弾性体６０６の垂直部の内壁は、内側に突出するよう設けられて制震懸架ロッドに接触し、制震懸架ロッドに対する摺動減衰を発生させる。本実施例の弾性体６０６と傾斜構造６０２は一体成型される。弾性体６０６の傾斜部が傾斜構造６０２に相当し、垂直部が制震懸架ロッド３００と接触して摺動摩擦減衰を発生させる変形可能部位に相当する。
【００４６】
本実施例の好ましい実施形態として、前記傾斜リブは、一端がリング本体６０１に接続され、他端が、リング本体６０１の内側に向かって傾斜するよう設けられるとともに弾性体６０６に接続される。また、前記弾性体６０６は垂直方向に設けられる。前記弾性体６０６の内壁は、内側に突出するよう設けられて制震懸架ロッド３００に接触し、制震懸架ロッドに対する摺動減衰を発生させる。本実施例の傾斜リブはリング本体６０１と一体成型され、弾性体６０６が傾斜リブに固定接続される。これによれば、減衰係数のより高いゴム材料を用いて弾性体６０６を製造可能となる。且つ、必要に応じて相応の規格の弾性体６０６を選択し、摺動減衰要求を満たすことが可能となる。
【００４７】
本実施例では前記傾斜リブを複数含み、これらがリング本体６０１の周方向に沿って弾性体６０６と一対一で対応するよう設けられる。
【００４８】
更に、本実施例における各前記弾性体６０６の傾斜部と垂直部との交差部分の外壁には、当止リブ６０４がそれぞれ設けられる。各当止リブ６０４は環状の当止リブをなし、前記制震バネ７００の上端が環状の当止リブに当止される。或いは、各前記傾斜リブと各前記弾性体６０６との交差部分の外壁に当止リブ６０４がそれぞれ設けられる。各当止リブ６０４は環状の当止リブをなし、前記制震バネ７００の上端が環状の当止リブに当止される。
【００４９】
本実施例の摺動減衰支持ベース６００は摺動減衰部材５００と制震バネ７００の間に設けられ、摺動減衰支持ベース６００のリング本体６０１が摺動減衰部材５００に当接する。摺動減衰部材５００は、外槽の偏心力を受けると摺動減衰支持ベース６００に直接作用することが可能である。また、摺動減衰支持ベース６００は、制震バネ７００を当止する環状の当止リブを更に備える。これにより、外槽の偏心力の一部が摺動減衰支持ベース６００を通じて制震バネ７００に直に作用可能となり、制震バネ７００が圧縮することで制震弾性力が提供される。また、他の偏心力は傾斜構造を通じて弾性体６０６に作用し、弾性体６０６と制震懸架ロッド３００との摩擦により摺動摩擦減衰が発生する。よって、本実施例の摺動減衰支持ベース６００は、洗濯機の外槽のぐらつき及び揺動に対し良好な制震効果を有する。
【００５０】
本発明の好ましい実施形態として、前記当止リブ６０４と弾性体６０６の傾斜部における外壁との間には補強リブ６０３が設けられる。或いは、前記当止リブ６０４と傾斜リブの外壁との間に補強リブ６０３が設けられる。補強リブ６０３を設けることで、摺動減衰支持ベース６００の全体強度を強化可能となり、より良好な耐摩耗性が備わることから、使用寿命が延びる。
【００５１】
本実施における洗濯機のダンパーは、更に、制震懸架ロッド３００の上端端部に取り付けられる懸架ロッドベース２００を含む。前記懸架ロッドベース２００は洗濯機の筐体上部に懸装される。前記懸架ロッドベース２００と洗濯機の筐体との間には、制震作用を増強するガスケット１００が追加される。
【００５２】
本実施例における洗濯機のダンパーは、更に、制震懸架ロッド３００の下端端部に固着される下受け８００を含み、前記制震バネ７００の下端が前記下受け８００に当止される。
【００５３】
且つ、本実施例は、上述したいずれかの洗濯機のダンパーを備える洗濯機を提供する。本発明における前記洗濯機のダンパーを備える洗濯機は、安静且つ安定的な脱水起動及び運転を維持可能である。
【００５４】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の方案の範囲内とされる。
【符号の説明】
【００５５】
１００  ガスケット
２００  懸架ロッドベース
３００  制震懸架ロッド
４００  上受け
５００  摺動減衰部材
５０１  環状減衰プレート
５０２  減衰材
５０３  減衰材間隔
５０４  摺動減衰面
６００  摺動減衰支持ベース
６０１  リング本体
６０２  傾斜構造
６０３  補強リブ
６０４  当止リブ
６０５  弾性隙間
６０６  弾性体
７００  制震バネ
８００  下受け
【図１】
2019537474.tif 000003
【図２】
2019537474.tif 000004
【図３】
2019537474.tif 000005
【図４】
2019537474.tif 000006
【図５】
2019537474.tif 000007
【図６】
2019537474.tif 000008
【図７】
2019537474.tif 000009
【図８】
2019537474.tif 000010
【国際調査報告】
2019537474.tif 000011
2019537474.tif 000012
2019537474.tif 000013
2019537474.tif 000014